Podtech/llm-jp-corpus-v4-ja_patent huggingface dataset:
(57)【要約】【課題】      携帯電話機のため手をふさがれることを極力少なくし、ハンドフリーの状態で使用することを容易として利便性を向上させる携帯電話機保持具を提供する。【解決手段】  金属製の螺旋状フレキシブル管の上部先端に携帯電話機を固定するホルダーを設け、中間部には二段式の延長管を配し、下部の底部には延長管接続用の挿入筒を有する卓上用設置台又はクリップ止具を設ける。金属製の螺旋状フレキシブル管は自在に屈曲し、延長管で長さが調整しうるので携帯電話機と使用者との位置関係はいつでも自由にかつ最適の状態に設定でき、ハンドフリーでの利用に資することができる。【選択図】    図１
0003105454.tif 000002
【実用新案登録請求の範囲】
【請求項１】
携帯電話機のハンドフリーでの使用を容易とするため、屈曲自在に調整しうる金属製の螺旋状フレキシブル管と長さを調整しうる延長管とを組み合わせてなる携帯電話機保持具
【請求項２】
携帯電話機を固定し脱落を防止しうる機構を有する携帯電話機収納用ホルダー付きの請求項１記載の携帯電話機保持具
【考案の詳細な説明】
【技術分野】
【０００１】  本考案は、ハンドフリー使用のための携帯電話機保持具に関するものである。
【背景技術】
【０００２】  携帯電話機は、近年ますます機能が充実して利用の形態が広がり、得られる情報量も音声通話からデータ通信へと膨大なものとなってきた。その結果、利用回数は増加し利用時間もいきおい長時間となりがちな実情にある。【０００３】  通話の間、長時間にわたって携帯電話機を持ち続けるのは決して安易なことではなく、作業中の場合など作業を中断しなければならない場合もしばしば出てくるという問題がある。音声通話であればイヤホン・マイク等の補助具を用いてある程度これをカバーすることもできようが、データ通信のように視覚による通信手段についてこれに効果的に対応する手段は見出だせない。
【特許文献１】      特開２００１−３０９００６
【考案の開示】
【考案が解決しようとする課題】
【０００４】  解決しようとする課題は、携帯電話機のため手をふさがれることを極力少なくし、ハンドフリーの状態で使用することを容易として利便性を向上させるところにある。
【課題を解決するための手段】
【０００５】  本考案は、支持管である金属製の螺旋状フレキシブル管の上部先端に携帯電話機を固定するホルダーを設け、中間部には二段式の延長管を配し、底部には支持管・延長管を安定して取付けるための挿入筒を有する設置台又はクリップ止具を設けることを特徴とする。【０００６】  金属製の螺旋状フレキシブル管は自在に屈曲可能で、延長管の伸縮と相待って携帯電話機と使用者との位置関係はいつでも自由にかつ最適の状態に保たれる。ホルダーは左右側板のスライド移動が可能であり、背面板上の突起状の位置調整目盛りにより携帯電話機の型に合わせ側板をスライドさせ固定することによって携帯電話機はホルダー内に確実に保持される。
【考案の効果】
【０００７】  本考案の携帯電話機保持具を用いることにより、携帯電話機を手で持ち続ける負担が軽減され、作業の中断も大幅に回避することが可能となる。したがって、使用時の利便性・作業効率の向上に寄与し得る。近年のように、携帯電話機の機能としてデータ通信機能の比重が大きくなってくると、単なる音声通話の場合以上にさらに大きな効果が期待しうる利点がある。【０００８】  たとえば、調理中の主婦が、インターネットでレシピを照会し情報を閲覧しながら調理を続けることもできるようになる。また、身障者の静養時やあるいは車椅子による移動時に椅子枠にクリップ止めしておくことにより、より使用時の安全性・利便性を高める効果を期待することができる。
【考案を実施するための最良の形態】
【０００９】  二段式の延長管と自在に屈曲しうる金属製の螺旋状フレキシブル管の組み合わせは、２５乃至５０ｃｍ程度の範囲で調整し得るように設定するのが、通常の場合使用の実施条件として最適である。
【産業上の利用可能性】
【００１０】  設置に際しては、卓上用設置台のほかクリップタイプの固定具の選択が可能であり、デスクワークから車椅子その他身障者・療養者などさまざまな用途・需要に対応できる。また、特別な用具や複雑な操作を必要とせず螺旋状フレキシブル管の向きや延長管の長さを適宜調整するだけで簡単に使用することができる。
【図面の簡単な説明】
【００１１】
【図１】    延長管延伸時の卓上設置の携帯電話機保持具の斜視図
【図２】    延長管短縮時のクリップ止め携帯電話機保持具の斜視図
【図３】    携帯電話機収納用ホルダーの斜視図
【図４】    車椅子での携帯電話機保持具の使用図
【符号の説明】
【００１１】１    携帯電話機収納用ホルダー
２    金属製螺旋状フレキシブル管
３    延長管
４    延長管締め具
５    延長管取付筒
６    卓上用設置台
７    クリップ止具
８    携帯電話機ホルダー左右側板
９    左右側板の位置調整用突起状目盛り
１０  左右側板保持用レール
１１  携帯電話機保持具
１２  携帯電話機
【図１】
0003105454.tif 000003
【図２】
0003105454.tif 000004
【図３】
0003105454.tif 000005
【図４】
0003105454.tif 000006
(57)【要約】      （修正有）【課題】左右の長さや位置の確認を容易にすると共に、テンプルとモダンとの間の緩みをなくしてフィッティングを向上させたメガネフレームを提案する。【解決手段】テンプル２の先端側に形成されているコア芯部３をモダン１の長手方向に形成されている長孔６内に挿入することによりテンプル２をモダン１に取付ける様になっているメガネフレームにおいて、テンプル２のコア芯部３に所定の間隔で径が減じられた複数の段差部４を形成すると共に、モダン１の長孔６の内壁面に前記段差部４に嵌合する弾性突起５を設け、前記段差部４を弾性突起５に嵌合させることにより、クリック感を保持しつつ、モダン１をテンプル２に固定する様にした。【選択図】図１
0003105540.tif 000002
【実用新案登録請求の範囲】
【請求項１】
テンプル２の先端側に形成されているコア芯部３をモダン１の長手方向に形成されている長孔６内に挿入することによりテンプル２をモダン１に取付ける様になっているメガネフレームにおいて、テンプル２のコア芯部３に所定の間隔で径が減じられた複数の段差部４を形成すると共に、モダン１の長孔６の内壁面に前記段差部４に嵌合する弾性突起５を設け、前記段差部４を弾性突起５に嵌合させることにより、クリック感を保持しつつ、
モダン１をテンプル２に固定する様にしたことを特徴とするメガネフレーム。
【考案の詳細な説明】
【技術分野】
【０００１】
この考案はメガネフレーム、詳しくはメガネフレームを構成しているテンプルとモダンとの結合構造に関するものである。
【背景技術】
【０００２】
メガネフレームにおいては、テンプルと称されるつるの先端側に、モダンと称される耳当て部材が取付けられているが、このモダンの固定位置は、個々のメガネ装用者の頭部寸法に合致させなければならず、このモダンの固定位置が適正でない場合には、メガネフレームの保持力が弱くなったり、装着感が悪くなるなどの不都合が生じる。
【０００３】
このテンプルへのモダンの固定位置の調整作業は、メガネフレームを販売する際に販売店において行われているのが通例である。
【特許文献１】登録実用新案第３００８１２６号公報
【特許文献２】登録実用新案第３０７０１１９号公報
【非特許文献１】なし
【考案の開示】
【考案が解決しようとする課題】
【０００４】
しかしながら、従来のメガネフレームの多くは、テンプルにモダンを嵌入しただけの構造であるので、メガネフレームの装用中にテンプルとモダンとの結合箇所に緩みが生じることもあった。
【０００５】
又、テンプルへのモダンの固定位置を調整する際に、左右のテンプルのそれぞれの長さやモダンの固定位置のバランスを取るのは実際上はなかなかむずかしく、熟練を要し、人によって仕上がり具合にばらつきが生じやすかった。
【０００６】
本考案者は、メガネフレームのテンプルとモダンの固定作業に関する上記問題点を解決せんとして研究した結果、テンプルへのモダンの挿入の際に、所定の位置毎にクリック感を持たせ、左右の長さや位置の確認を容易にすると共に、テンプルとモダンとの間の緩みをなくしてフィッティングを向上させたメガネフレームを完成するに至り、本考案としてここに提案するものである。
【課題を解決するための手段】
【０００７】
テンプル２の先端側に形成されているコア芯部３をモダン１の長手方向に形成されている長孔６内に挿入することによりテンプル２をモダン１に取付ける様になっているメガネフレームにおいて、テンプル２のコア芯部３に所定の間隔で径が減じられた複数の段差部４を形成すると共に、モダン１の長孔６の内壁面に前記段差部４に嵌合する弾性突起５を設け、前記段差部４を弾性突起５に嵌合させることにより、クリック感を保持しつつ、
モダン１をテンプル２に固定できる様にして上記課題を解決した。
【実施例】
【０００８】
図１はこの考案に係るメガネフレームのモダンとテンプルの結合箇所の断面図である。図中１は軟質エラストマーにより形成されたモダンであり、装用者の耳に掛ける為の部材であり、「耳掛け」とも称されている。又、２はテンプルであり、「つる」とも称されており、その先端側には径が減じられたコア芯部３が形成されており、このコア芯部３を前記モダン１の長手方向軸芯に沿って形成されている長孔６内に挿入することにより、モダン１に固定できる様になっている。
【０００９】
一方、モダン１の長孔６の内壁面には、バネ性を有する弾性突起５が、その突起面７，７が内側を向いて対向する様に固定されている。なお、この実施例においては弾性突起５は、図２に詳記する様な「コ」字形の金属バネ片を用い、これをインサート成型の手法により、長孔６の内壁に固定しているが、この弾性突起５は、弾性を有するプラスチック片でも良く、又、長孔６の内壁面に一体的に形成されたものであっても良い。
【００１０】
更に、テンプル２のコア芯部３の外周には、所定の間隔で径が減じられた段差部４が複数個設けられており、図２に示す様に、この段差部４に前記弾性突起２５が弾性的に嵌合する様になっている。
【００１１】
この実施例は上記の通りの構成を有するものであり、テンプル２のコア芯部３をモダン１の一端からその長孔６内に押し込み、コア芯部３に形成された最初の段差部４がモダン１の弾性突起５の位置に達すると、この最初の段差部４は弾性突起５に両側から挟持された状態でこれと嵌合する。この状態から更にテンプル２を押し込むと、この最初の段差部４は弾性突起５を乗り越えて、更に、長孔６の奥に進み、次の段差部４が弾性突起５の位置に達し、これに嵌合することになる。
【００１２】
この様に、複数の段差部４が弾性突起５に嵌合する毎にクリック感が得られ、これにより左右のテンプルの長さや位置の確認を行うことが出来る。又、段差部４と弾性突起５とが嵌合関係を維持することにより、モダン１はテンプル２に安定的に固定され、メガネ装用中に、その位置がずれることを防いでいる。
【００１３】
この様に、本考案においては、メガネフレームのテンプル２のコア芯部３に複数の段差部４を形成すると共に、モダン１の長孔６の内壁面にこれと嵌合する弾性突起５を形成しているので、所定の長さ毎にクリック感を持たせてテンプル２の左右の長さや位置の確認を容易にすると共に、装用中の緩みをなくし、メガネフレームのフィッティングを向上させることが出来る効果を有し、極めて高い実用的価値を有している。
【図面の簡単な説明】
【００１４】
【図１】この考案に係るメガネフレームの要部の断面図。
【図２】同じく、テンプル２のコア芯部３とモダン１の弾性突起５との嵌合関係を説明する為の両部材の拡大斜視図。
【符号の説明】
【００１５】
１    モダン
２    テンプル
３    コア芯部
４    段差部
５    弾性突起
６    長孔
７    突起面
【図１】
0003105540.tif 000003
【図２】
0003105540.tif 000004
(57)【要約】      （修正有）【課題】雨傘を、差さないで持ち歩いている時、逆さＵ字型傘用柄に、携帯している手荷物の紐を掛け易いようにする。【解決手段】逆さＵ字型傘用柄の頂上部分を長さ０．０６ｍ位、幅０．０１ｍ位、深さ０．００５ｍ位、平らにする。その狭い平らな部分を網目状の溝にする。この僅かなカット部分によって携帯している手持ちの重いバックの紐等を掛けることが出来る。【選択図】図１
0003105572.tif 000002
【実用新案登録請求の範囲】
【請求項１】
紐滑り止め付きＵ字型傘用柄において
（１）傘を差さないで持ち歩いている時、逆さＵ字型の頂上部分が長さ０．０６ｍ位、幅０．０１ｍ位、深さ０．００５ｍ位、平らにカットされている。
（２）そのカットされた平らな部分が網目状の溝になっている。
（３）このカットされた部分は手荷物等の紐を掛け易く、滑りが難い。
以上からなるＵ字型傘用柄。
【考案の詳細な説明】
【技術分野】
【０００１】  本考案は、傘用柄のトップに滑り止めスペースを設置した日用品である。
【背景技術】
【０００２】  雨上がり、或いは公共の場等に於いて、雨傘を差さないで携帯している時に、手持ちのバック等を傘用柄に掛けたいことがある。しかし、携帯している時のＵ字型傘用柄は逆さなので、頂上が山型で滑らかで、掛けたバックは滑り落ちてしまう。【０００３】  逆さＵ字型傘用柄の頂上部分が０．０６ｍ平らであれば掛けたバックは滑り落ちない。【０００４】  又、その狭い平らな部分を網目の溝にすれば滑り難く更に効果的である。【０００５】  ０．０６ｍ平らにしたことで、傘を雨で使用時には何等差し障りが無く、美観にも変わりが無い。
【考案の開示】
【考案が解決しようとする課題】
【０００６】  雨傘を差さない時、逆さＵ字型傘用柄に、携帯している手持ちのバック等を掛けたいことがある。しかし、山型で滑りが良く掛けることは無理である。この山型の僅かな部分にバック等の紐が掛けられるようにしたい。
【課題を解決しようとするための手段】
【０００７】  逆さＵ字型傘用柄の頂上部分を長さ０．０６ｍ位、幅０．０１ｍ位、深さ０．００５ｍ位、平らにする。
【０００８】  その狭い平らな部分を網目状の溝にする。
【考案の効果】
【０００９】  長さ０．０６ｍ位、幅０．０１ｍ位、深さ０．００５ｍ位の狭い平らな網目状の溝ではあるが、手持ちのバック等を掛ける時、滑りが難い。
【考案を実施するための最良の形態】
【００１０】  逆さＵ字型傘用柄の頂上部分を平らにする。
【実施例１】
【００１１】  逆さＵ字型傘用柄の頂上部分を長さ０．０６ｍ位、幅０．０１ｍ位、深さ０．００５ｍ位、平らにする。平らにしても全体的な形態は、平らにしない時と殆ど変わらない。【００１２】  平らにしたところを網目状の溝にする。網目状の溝があることによって滑りが難い。傘を差している時も手触りも悪くない。
【産業上の利用可能性】
【００１３】  Ｕ字型傘用柄の頂上部分を平らにすることは難しい工程では無く、形成し易い。故に大量生産し易い。又、僅かな凹みであるが重い手荷物を掛けて滑らない。
【図面の簡単な説明】
【００１４】
【図１】Ｕ字型傘用柄の頂上部分を平らにして底を網目状の溝にしてある。
【図１】
0003105572.tif 000003
(57)【要約】      （修正有）【課題】使用者の不潔感及び清掃から開放し且つヌメリ取り薬品の使用からも開放して環境に易しいポイ捨て用ゴミ収納器を提供する。【解決手段】本体上部の鍔２に起倒式の把手３を切り込み形成し、且つ本体は適宜な硬度及び耐熱性を有する合成樹脂であり、且つ無数の水切り孔５を本体側面及び底面に有するやや逆円錐状のものとする。【選択図】図２
0003105577.tif 000002
【実用新案登録請求の範囲】
【請求項１】
業務用及び一般家庭用の流し台のゴミ収納容器において本体上部の鍔に起倒式把手を切り込みを入れて形成し使い捨てを可能としたポイ捨て用ゴミ収納器
【考案の詳細な説明】
【技術分野】
【０００１】
この考案は従来の流し台の排水口に設置しているゴミ収納器を不用とし代わりに設置使用される。
【背景技術】
【０００２】
従来の業務用及び家庭用の流し台においてはステンレス製又は合成樹脂製のゴミ収納器が設置されている。
【０００３】
この為ゴミ収納器が汚染されるため清掃及びその手間を省くためヌメリ取り薬品が必要である。
【考案の開示】
【考案が解決しようとする課題】
【０００４】
本発明は既存するゴミ収納器が有していた問題を解決しようとするものであり、使用者の不潔感及び清掃から開放し且つヌメリ取り薬品の使用からも開放して環境に易しいポイ捨て用ゴミ収納器の実現を目的とするものである。
【課題を解決するための手段】
【０００５】
そして本発明は上記目的を達成するために本体上部の鍔に起倒式の把手を切り込み形成し、且つ本体は適宜な硬度及び耐熱性を有する合成樹脂であり、且つ無数の水切り孔を本体側面及び底面に有するやや逆円錐状のものである。
【０００６】
また第２の課題解決手段はこのことによりヌメリ取り薬品が不要なことである。
【０００７】
上記第１の課題の解決手段による利便性は次の通りである。すなわち硬化耐熱性の本体により調理排水の熱に耐え、生ゴミでの重量に耐え且つ起倒式把手の使用によって容易にポイ捨てが可能になる。
【０００８】
また第２の課題解決手段による利便性は起倒式把手によりポイ捨てが可能となったためヌメリ取り薬品が不要となる。
【考案の効果】
【０００９】
上述したように本考案のポイ捨て用ゴミ収納器はヌメリ取り薬品を使用しない為に環境に易しいものであり且つ既存のゴミ収納器が不要となる為に清掃の必要がなくゴミの処理が容易となる。
【実施例】
【００１０】
図１はこの考案によるポイ捨て用ゴミ収納器を示し１は収納器本体であり硬化耐熱性合成樹脂である。
【００１１】
ポイ捨て用ゴミ収納器１は流し台のシンク６に設置された既存のゴミ容器を取りはずして代わりに設置するものである。
【００１２】
そしてポイ捨て用ゴミ収納器本体の上部の鍔２には起倒式の把手３がＵ字形に切り込み形成されている。そして設置使用の時は把手を倒して使用すると既存の菊割れゴムの使用も可能である。
【００１３】
このためポイ捨て用ゴミ収納器本体を捨てる時はこのＵ字形の把手３を起こすことにより図２容易に捨てることができる。
【００１４】
この為既存の収納器の清掃が不要となり従ってヌメリ取り薬品も不要となる。
【００１５】
考案の目的はポイ捨て用ゴミ収納器を容易に着脱でき且つヌメリ取り薬品も不要とする。ゴミ収納器を提供するものである。
【産業上の利用可能性】
【００１６】
本考案は流し台の排水口で使用するゴミ収納器に関するものである。
【図面の簡単な説明】
【００１７】
【図１】ポイ捨て用ゴミ収納器の把手を切り込み形成している斜図である。
【図２】上述の把手を起こしている斜視図である。
【図３】図１の平面図である。
【図４】図１の側面図である。
【図５】図２の側面図である。
【符号の説明】
【００１８】
１  ポイ捨て用ゴミ収納器本体
２  鍔
３  起倒できる把手
４  把手を起こした時の切り込み空間
５  水切り孔
６  流し台シンク
７  排水口
【図１】
0003105577.tif 000003
【図２】
0003105577.tif 000004
【図３】
0003105577.tif 000005
【図４】
0003105577.tif 000006
【図５】
0003105577.tif 000007
(57)【要約】【課題】  ポンプ式ボトル容器内の液体を楽に最後まで使いきれるようにする。【解決手段】  ポンプ式ボトル容器の底の面を半球体のような形にし、底の面に曲線のような斜面をつけて、容器内の液体３が多い時も少ない時も、液体３を吸い上げるストロー１の吸い込み口のある容器の底の中央４に自然に集められるようにし、容器内の液体３を最後まで楽に吸い上げられるようにした。【選択図】  図１
0003105507.tif 000002
【実用新案登録請求の範囲】
【請求項１】
ポンプ式ボトル容器の底の面を、半球体のような形にし、底の面に曲線のような斜面をつけて、容器内の液体３を、吸い上げるストロー１の吸い込み口のある容器の底の中央４に自然に集められるようにし、容器内の液体３を楽に最後まで使いきれるようにする形状。
【考案の詳細な説明】
【考案の開示】
【考案が解決する課題】
【０００１】従来のポンプ式ボトル容器は、残り少なくなったボトル内の液体を最後まで吸い上げることは不可能だった。そのため、容器内に残っている液体を最後まで使いきるには、ノズルのキャップをはずし、容器を逆さまにして手に出したりする面倒な方法や、ノズルのキャップをはずすのも面倒で、容器内に液体が残っているのにも関わらず捨ててしまっていたとしたら、非常にもったいなく、経済的にも環境的にも良い事はまったくない問題を有していた。
【課題を解決するための手段】
【０００２】上記目的を達成するために、ポンプ式ボトル容器の底の面を半球体のような形にし、底の面に曲線のような斜面をつけて、容器内の残り少なくなった液体を、吸い上げるストローの吸い込み口のある容器の底の中央に自然に集められるようにした。
【考案の効果】
【０００３】容器内の液体が、吸い上げるストローの吸い込み口のある容器の底の中央に自然に集まるので、液体が残り少なくなっても、多く入っている時と同様に、普通に使用するだけで楽に最後まで液体を吸い上げ、使いきることが可能になるので、従来のように容器内の液体を最後まで使いきる為に、キャップをはずして直接手に出したりする煩わしさが解消され、非常に使用目的の多いポンプ式ボトル容器を、より快適に使用できる。
【図面の簡単な説明】
【０００４】
【図１】  ポンプ式ボトル容器の考案部分の断面図である。
【符号の説明】
【０００５】１  ストロー
２  容器
３  容器内の液体
４  容器の底の中央
【図１】
0003105507.tif 000003
【手続補正書】
【提出日】平成16年7月5日(2004.7.5)
【手続補正１】
【補正対象書類名】実用新案登録請求の範囲
【補正対象項目名】全文
【補正方法】変更
【補正の内容】
【実用新案登録請求の範囲】
【請求項１】
ポンプ式ボトル容器の底の面を、半球体のような形にし、底の面に曲線のような斜面をつけて、容器内の液体３を、吸い上げるストロー１の吸いこみ口のある容器の底の中央４に自然に集められるようにし、容器内の液体３を楽に最後まで使いきれるようにする形状のポンプ式ボトル容器。
(57)【要約】【課題】  書類等を束ねるだけの事務用クリップではなく、何か付加価値が付けられないかが課題である。【解決手段】  本考案は、一本の針金を用いて小判型の枠１に形成した真ん中の下部に小さな円形４を備えて形成された事務用クリップの一方の一面に堅固に接着する、文字や色彩の記載や添付が出来る記載面板５を設けて、商品名や会社名等を記載や添付する事で事務用クリップとして付加価値が付いて、課題の解決になる。【選択図】    図３
0003105502.tif 000002
【実用新案登録請求の範囲】
【請求項１】
一本の針金を用いて、小判型の枠（１）を形成して、その小判型の上部の真ん中より真下に向けて針金を曲げ下ろし、その針金の末端（３）を小判型の底面より上部に、間隔を保った位置で小さな円形（４）に形成する。小判型の上部にある針金の先端（２）と小判型の底面より上部に、間隔を保った位置にある小さな円形（４）の針金の末端（３）はそれぞれ互いに接触しない事。上記の様に形成された針金全体に焼き入れ加工と錆止めを施した、事務用クリップ。
【請求項２】
請求項１の事務用クリップの一方の一面に堅固に接着する、事務用クリップと同じ外周を有した、文字や色彩の記載や添付の出来る小判型で平面状の板を合成樹脂を用いて形成した、記載面板（５）。
【考案の詳細な説明】
【技術分野】
【０００１】  本考案は、事務用クリップの一方の一面に堅固に接着する、文字や色彩の記載や添付が出来る小判型で平面状の板を設けた、記載面板付き事務用クリップに関するものである。
【背景技術】
【０００２】  事務用クリップと言えば、一般的にその役目は書類等を束ねるだけに使用されている。
【考案の開示】
【考案が解決しようとする課題】
【０００３】  書類等を束ねるだけの事務用クリップではなく、何か付加価値が付けられるのではないかが、解決しようとする課題である。
【課題を解決するための手段】
【０００４】  本考案は、事務用クリップの一方の一面に堅固に接着する、文字や色彩の記載や添付が出来る記載面板を設けて、その記載面板に商品名や会社名等を記載や添付して、宣伝用に使用する事で付加価値が付き課題を解決する。
【考案の効果】
【０００５】  広く会社等で使用されている事務用クリップですから、事務用クリップに宣伝用と言う役目を加える事は廉価でもあり、書類等を束ねるだけの事務用クリップに付加価値を付ける事になる。尚、小判型に形成する事で、書類等を束ねる力と記載面が広くなる。
【考案を実施するための最良の形態】
【０００６】  一本の針金を用いて、左回りでも右回りでも可となる小判型の枠を形成して、その小判型の上部の真ん中より真下に向けて針金を曲げ下ろす、其の際、小判型の枠を形成する針金の先端は上部で接触しない事。小判型の上部の真ん中より真下に曲げ下ろした針金の末端を小判型の底面より間隔を保った位置で小さな円形に形成する、この小さな円形の末端になる針金も接触しない事、小さな円形の位置は小判型の枠と枠の底面との間隔で十分に書類等が束ね易く確実に押さえる事の出来る位置に設ける。上記の様に形成された針金全体に焼き入れ加工と錆止めを施す。【０００７】  合成樹脂を用いて、前記のように小判型に形成された事務用クリップの外周を覆う様に文字や色彩の記載や添付が出来る記載面板を平面状で小判型に形成する。【０００８】  小判型に形成された事務用クリップの一方の一面の外枠だけに記載面板を堅固に接着する。枠の真ん中にある針金とそれに繋がる小さな円形には絶対に接着しない事。
【図面の簡単な説明】
【０００９】
【図１】  一本の針金で小判型に形成された事務用クリップの平面図。
【図２】  文字や色彩の記載や添付が出来る記載面板の平面図。
【図３】  記載面板付き事務用クリップの表面図。
【符号の説明】
【００１０】１  小判型の枠
２  針金の先端
３  針金の末端
４  小さな円形
５  記載面板
【図１】
0003105502.tif 000003
【図２】
0003105502.tif 000004
【図３】
0003105502.tif 000005
【手続補正書】
【提出日】平成16年7月2日(2004.7.2)
【手続補正１】
【補正対象書類名】実用新案登録請求の範囲
【補正対象項目名】全文
【補正方法】変更
【補正の内容】
【実用新案登録請求の範囲】
【請求項１】
文字や色彩の記載や添付の出来る記載面板を、事務用クリップの一方の一面に堅固に接着して、宣伝用として使用することを特徴とする記載面板付き事務用クリップ。
(57)【要約】      （修正有）【課題】収納箱及び上蓋、飾段等が全て連結出来る様に構成して収納箱に収容格納すると共に素早く人形段として形成出来る収納箱を提供する。【解決手段】収納箱の空き面積に形成しようとする、人形・用品・部品を収納出来る様にし、人形段を形成するに際しては収納箱上蓋を開け、そのまま上蓋の両側に付いたスライド棒を後ろに引きスライド棒に付いた両側のスライド足を収納箱上部枠の高さと同じに調節し、スライド足の両側の蝶ネジを止め上蓋内側にバンドでとめると共に飾段・小段・下り・スライド足のバンドを外し前方に広げ、小段の下に付いたスライド足の両側を広げ前方よりスライド足両側を収納箱枠上に固定し後ろのスライド足両側をスライド棒両側を固定し、上の飾段・小段・下りの形成をスライド足両側の高さを調整して蝶ネジにて止め収納箱上に飾段を形成する。【選択図】図１
0003105504.tif 000002
【実用新案登録請求の範囲】
【請求項１】
一つの収納箱に飾段を収納箱上蓋に接続して収納箱におさめる人形用飾段内蔵収納箱。
【請求項２】
人形用飾段内蔵収納時の空き面積で中に収納する人形・用品・部品の面積の大きさに応じ、人形・用品・部品を入れる大きさが変えることが出来る請求項１記載の人形用飾段付内蔵収納箱。
【考案の詳細な説明】
【技術分野】
【０００１】  人形等をのせる飾段を折り畳み、人形と飾段を一緒に収納箱に載置出来る飾段内蔵収納箱。
【背景技術】
【０００２】  節句人形等、比較的数種類の人形・用品・部品・台等を箱から飾っている。又しまうのも各々別々の容器に収納する場合が多い。
【特許文献１】  特開昭５２−５７８
【特許文献２】  実開平６−３１７９４
【考案の開示】
【考案が解決しようとする課題】
【０００３】  普通人形を出し入れする時、人形・段・用品・部品等別々の箱から各々組み立て収納しなければならず、時間もかかる場合が多い。
【課題を解決するための手段】
【０００４】  飾段を蝶番で継ぎ飾段は折り畳み式にして組立て、飾段を収納箱上にバンドで止め置く。飾段は収納箱に収納出来、飾段組立に部品が失うことなく出し入れに非常に時間がかからない。【０００５】  収納箱２に示した様に（小段、下り、９〜２３）を折り畳み収納してバンド２５（左右）を収納箱内上蓋内側で止める。収納箱内の（飾段、小段、下り、９〜２３）をバンド２５（左右）で止めた後の収納箱内の空き面積２８より中に収納する人形・用品・部品にて収納箱２の空き面積２８の大きさを調整して作ることが出来る収納箱。【０００６】  収納箱のみで収納箱上蓋内側小段（９〜２３）のバンド２５を外すと飾段が出来、上蓋内側に小段（９〜２３）を折り畳んでバンド２５を止めれば素早く飾段が出来、収納も出来る。
【考案の効果】
【０００７】  図１に示す実施においては、飾段は８段（小段上段９〜前小段１６、下り１７〜２３）であるが飾る段数によって、人形・用品の飾る段数を変更することが出来、又段数を変更しても収納する面積は容易に確保でき、収納箱に簡単に収納出来る。
【実地例１】
【０００８】  収納箱は実地例で示し側面図１（１・２・３）から成り、上蓋２を前から開け、スライド棒３左右両側を後ろに引き、スライド棒３左右両側に取り付けたスライド足４左右両側を広げて、収納箱上蓋２を支え、収納箱上蓋２の内側に付いた飾段・小段９〜１６・下り１７〜２３・スライド足６〜８、左右両側のバンド２５を外し前に広げ小段９、１１、１３左右両側取付けのスライド足を広げ、左右両側下部を各々スライド足６左右両側はスライド棒３に止め、スライド足７、８は収納箱１の上部側板上に止めて実地する。
【実施例２】
【０００９】  スライド足６〜８左右両側を内側に折り畳み飾段、小段上段９の方へ前小段１６〜９を順に全部収納箱上蓋２内側に折り畳み、スライド足６〜８左右両側、前小段１６から小段上段９を収納箱上蓋２内側にバンド２５左右両側で止め、収納箱上蓋２取り付けのスライド棒３左右両側に取り付けてあるスライド足５左右両側を内側に折り畳み、収納箱上蓋２に取り付けたスライド棒３左右両側を収納箱上蓋２内側にバンド左右両側で止めた前小段１６から小段上段９・下り１７〜２３・スライド足６〜８、左右両側を共にスライド棒３左右両側を前へ押して収納箱上蓋２を蓋をして収納を実施する。【００１０】  図１は本考案の実施例の側面図であって、収納箱１上部左右両側に設けたスライド枠にスライド棒３左右両側、スライド足５左右両側によって、収納箱上蓋２に飾段・小段・下り９〜２３・スライド足６〜８左右両側をバンド２５左右両側で止めた収納箱上蓋２を支え、飾段を収納箱上に形成出来、段数が多くても形成出来る様に図に示したものである。【００１１】  図２は収納箱に飾段・小段・下り９〜２３・スライド足６〜８左右両側を収納箱上蓋２内側に折り畳み、バンド２５左右両側で止めた側面図であるが、収納箱内の収納時に収納以外の空き面積２８を示した側面図。
【図面の簡単な説明】
【００１２】
【図１】  人形飾段内蔵収納箱１の実施方法を示した説明図である。（実施例１）
【図２】  人形飾段内蔵収納箱１の収納状態を示した説明図である。（実施例２）
【図３】  収納箱上蓋２を開け、スライド棒３（左右）を後ろに引き、小段・下り９〜２３・スライド足６〜８（左右）を開ける前の実施方法を示した説明図である。（実施例２）
【図４】  収納箱１上蓋２内側に小段・下り９〜２３・スライド足６〜８（左右）を折り畳みバンド２５で止めて実施方法を示した説明図である。（実施例２）
【図５】  小段上段９・小段１０・下り２３とスライド足５の拡大図（実施例１）
【図６】  人形飾段内蔵収納箱１上部取付けスライド枠４の切断図（実施例１）
【図７】  収納箱上蓋２とスライド棒３の接続部拡大図（実施例１）
【図８】  小段９〜１０と下り１７〜２３の接続部拡大図（実施例１）
【図９】  人形飾段内蔵収納箱１の斜視図である。（実施例１）
【符号の説明】
【００１３】１、人形飾段内蔵収納箱
２、人形飾段内蔵収納箱上蓋
３、スライド棒（左右）
４、スライド枠（左右）
５、スライド足６〜８（左右）
９、小段上段
１０、小段１１〜１５
１６、前小段
１７、下り１８〜２３
２４、取っ手（左右）
２５、バンド（左右）
２６、蝶番
２７、蝶ネジ
２８、空き面積
【図１】
0003105504.tif 000003
【図２】
0003105504.tif 000004
【図３】
0003105504.tif 000005
【図４】
0003105504.tif 000006
【図５】
0003105504.tif 000007
【図６】
0003105504.tif 000008
【図７】
0003105504.tif 000009
【図８】
0003105504.tif 000010
【図９】
0003105504.tif 000011
【手続補正書】
【提出日】平成16年6月16日(2004.6.16)
【手続補正１】
【補正対象書類名】実用新案登録請求の範囲
【補正対象項目名】請求項２
【補正方法】変更
【補正の内容】
【請求項２】
収納する人形・用品・部品の大きさに応じて、飾段の小段と下りを折り畳み、収納してバンドで収納箱上蓋内側に止めることにより収納箱の空き面積の大きさを調整することが出来る請求項１記載の人形用飾段内蔵収納箱。
(57)【要約】【課題】  見映えのよい装飾模様を表現することにより、装飾性の高い傘を提供する。【解決手段】  複数のパーツ布が接合されて一枚布状態に形成された傘地に、装飾模様を付す。また前記装飾模様は、刺繍により構成されることが好ましい。【選択図】      図１
0003105568.tif 000002
【実用新案登録請求の範囲】
【請求項１】
複数のパーツ布が接合されて一枚布状態に形成された傘地に、装飾模様が付されていることを特徴とする傘。
【請求項２】
前記装飾模様は、刺繍により構成されていることを特徴とする請求項１に記載の傘。
【考案の詳細な説明】
【技術分野】
【０００１】
本考案は傘に関する。
【背景技術】
【０００２】
傘布、傘地等の名称でよばれる傘の生地には、通常、傘の装飾性等の観点より何らかの装飾模様が施されていて、これにより傘は個性化、差別化が図られている。装飾模様を構成する手法として、例えば染色による着色や、刺繍等が挙げられる。
刺繍は繊細な模様等を表現でき、傘に高級感を与えることができるため、装飾模様を付す手段として多用されている。
一方、傘の生地（以下、傘地という）は、一定形状に裁断されたパーツ布が複数枚接合されて椀のような形状（以下、椀形状）に構成されており、親骨の間に張設されて、取付られる。
【０００３】
この作業工程を図３〜図６に基づいて詳細に説明する。
まず、帯状布２０を点線Ｌで示すような裁断線に沿って切断して、略二等辺三角形状のパーツ布２１を複数枚得る（図３、図４）。
これら複数枚のパーツ布２１、２１、・・・は放射状に並べられて、接合部２２、２２、・・・により互いに接合され、平面視において略円形の傘地２３を形成する（図５参照）。
傘地が得られたら、親骨２５に接合部２２を当接させ、傘地２３を親骨２５、２５間に張設させる（図６参照）。
【０００４】
傘地に装飾模様を付すときは、作業工程の都合上、パーツ布に裁断する前に帯状布２０にあらかじめ装飾模様を付しておくことが多い。装飾模様を付した後にパーツ布２１を形成し、各パーツ布を接合する。
【考案の開示】
【考案が解決しようとする課題】
【０００５】
しかし、上述のような従来の作業手順による装飾模様は、あらかじめ装飾模様が付された生地を一旦裁断するため、再度パーツ布を縫い合わせたときに、装飾模様が途中で分断されたり、隣接するパーツ布に付された装飾模様の図柄が接合部を境界にずれてしまう、という問題がある。
本考案はこのような問題点に鑑みてなされ、その目的は、途中で分断されたり、隣接するパーツ布に付された図柄とズレが生じることのない、連続した装飾模様が付された傘を提供することにある。
【課題を解決するための手段】
【０００６】
上記目的を達成すべく、本考案においては以下の手段を採用した。すなわち本考案にかかる傘は、複数のパーツ布が接合されて一枚布状態に形成された傘地に、装飾模様が付されていることを特徴とする。
この手段によれば、複数のパーツ布が接合されて一枚布状態に形成された傘地に装飾模様が付されるので、装飾模様が途中で分断されたり、ズレが生じることなく、連続した見映えのよい状態で表される。
また前記装飾模様は、刺繍により構成されていることが好ましい。刺繍によれば、高級感のある連続模様を表現することができる。
【考案の効果】
【０００７】
本考案によれば、複数のパーツ布が接合されて一枚布状態に形成された傘地に装飾模様が付されるので、装飾模様が途中で分断されたり、隣接するパーツ布に付された図柄とズレが生じることなく、見映えのよい連続した状態で表現される。従って、従来に比しより装飾性の高い傘を得ることができる。
【考案を実施するための最良の形態】
【０００８】
以下、図面に基づき本考案の実施形態について説明する。図１は、本実施形態にかかる傘１を示した斜視図、図２は本実施形態の傘に用いられる傘地を示した平面図である。
傘１は、刺繍による装飾模様が付された傘地５を有している。傘地５は、複数のパーツ布６、６、・・・を放射状に並べ、各パーツ布同士を接合部７において接合して、一枚布状態に形成されている。本実施形態においては、パーツ布６は略二等辺三角形の形状に裁断されている。
本実施形態においては、接合部７は、パーツ布６同士の縫着により構成されている。
【０００９】
この一枚布状態の傘地５に、装飾模様９が付されている（図２参照）。装飾模様９は刺繍により構成されている。
傘地５は、傘１の親骨２の形状に沿って張設されるような椀形状に形成されているので、平面視において略円形となるように載置したとき傘地は平坦にはならず、生地のうねり８ができる。
刺繍は、主として機械により施せばよい。しかし、上述のようにうねり８がある箇所は、機械ではなく手作業による方が好ましい。
【００１０】
このように、複数のパーツ布６、６、・・・を接合して一枚布状態の傘地５を形成し、その後に傘地５に装飾模様９を付すので、装飾模様９は、接合部７を境界にして途中で分断されたり、また隣接するパーツ布に付された図柄とずれたりすることなく、連続した見映えのよい状態に表現される。
刺繍が施されると、傘地５を椀形状にして親骨２に取り付ける。傘地５の取付は、親骨２に接合部７を当接させ、親骨２の形状に沿わせつつ親骨２、２間に張設させて行う。
得られた傘は、図１に示すように、刺繍による装飾模様が途中で途切れたり、また接合部７においてズレが生じることなく、連続した状態で表現される。
【００１１】
装飾模様９は、刺繍の他、プリントにより構成されてもよい。装飾模様９は、刺繍又はプリントの一方のみにより構成されてもよいし、双方により構成されてもよい。また、刺繍、プリントの他にも、適宜の手段を採用できる。プリントを行う際は、上述のように傘地にうねり８があるため、手作業によることが好適である。
【図面の簡単な説明】
【００１２】
【図１】本考案の実施形態にかかる傘を示した斜視図である。
【図２】本考案の実施形態にかかる傘に用いられる傘地を示した平面図である。
【図３】傘地を構成するパーツ布の形成手順を示した工程図である。
【図４】傘地を構成するパーツ布の形成手順を示した工程図である。
【図５】複数のパーツ布の接合により形成された傘地を示した平面図である。
【図６】完成した傘を示した斜視図である。
【符号の説明】
【００１３】
１  傘
２  親骨
５  傘地
６  パーツ布
７  接合部
８  うねり
９  装飾模様
【図１】
0003105568.tif 000003
【図２】
0003105568.tif 000004
【図３】
0003105568.tif 000005
【図４】
0003105568.tif 000006
【図５】
0003105568.tif 000007
【図６】
0003105568.tif 000008
(57)【要約】【課題】  本考案は、衣服本体に空のペットボトル等の浮力体を装填する為の専用ポケットを設け、安価で簡易的な救命衣となす。【解決手段】  本考案は、衣服本体１に浮力体装填専用ポケット２を取り付け、必要時に、空のペットボトル等の浮力体７を装填することによって衣服本体１は浮力を得て簡易救命衣となり、且つ遭難時にはフード帽収納襟３よりフード帽５を取り出して被れば反射体６の効果により夜間の捜索が容易である。【選択図】  図３
0003105570.tif 000002
【実用新案登録請求の範囲】
【請求項１】
衣料の数箇所に空のペットボトル等の浮力体を装填する為の専用ポケットを取り付けたところを特徴とする簡易救命衣。
【考案の詳細な説明】
【技術分野】
【０００１】本考案は、空になったペットボトル等の浮力体を装填する為の専用ポケットを有する衣服に関するものである。
【背景技術】
【０００２】装備不足による、川や海辺での水難事故が後を断たない。
【考案の開始】
【考案が解決しようとする課題】
【０００３】  水遊びや魚釣りを行なう者が、個々に従来の救命衣を身に着けるのは経済的負担も大きく、これを携帯して移動するのは、労働的負担である。従って平常時身に着ける安価な衣服に、浮力体を装備することにより簡易救命衣となし、前述の欠点を解決しようとするものである。
【課題を解決するための手段】
【０００４】  本考案は、ベスト等の簡単な衣服の数箇所に、ウキとなる空になったペットボトル等の浮力体を装填する為の専用ポケットを取り付け、必要時にそれら浮力体を専用ポケットに装填することにより簡易救命衣となすことで問題点を解決している。
【考案の効果】
【０００５】  上述の様に、本考案の浮力体装填専用ポケット付簡易救命衣は平常時着衣する簡単な衣服に、必要時のみ不要となった空のペットボトル等の浮力体を装備することで簡易救命衣となす為、安価で持ち運びも容易である。
【考案の実施する為の最良の形態】
【０００６】  衣服の数箇所に空になったペットボトル等の浮力体を装填する為の専用ポケットを取り付け、更に襟を袋状にし、平常時は反射体付きの薄地フード帽を巻き込んで収納する。
【実施例】
【０００７】  以上、添付図面に従って実施例を設明する。１は衣服本体、２は浮力体装填専用ポケット、３はフード帽を収納する為の襟である。これら専用ポケット２に空のペットボトル等の浮力体７を装填する事によって、この衣料１は浮力を得る事が出来る。又、襟３に収納されたフード帽５を取り出して被れば、その反射体６の効果によって遭難時の夜間の捜索が容易である。尚、通常のポケット４に缶入りのキャンディ等を収納しておくと更に便利である。
【図面の簡単な説明】
【０００８】
【図１】本考案の浮力物装填専用ポケット付簡易救命衣の正面図である。
【図２】本考案の浮力物装填専用ポケット付簡易救命衣の背面図である。
【図３】本考案の浮力物装填専用ポケット付簡易救命衣の実施時の正面図である。
【符号の説明】
【０００９】  １  衣服本体
２  浮力物装填専用ポケット
３  フード帽収納襟
４  通常のポケット
５  フード帽
６  反射体
７  空のペットボトル等の浮力体
【図１】
0003105570.tif 000003
【図２】
0003105570.tif 000004
【図３】
0003105570.tif 000005
(57)【要約】      （修正有）【課題】高温で熱湯消毒しても割れる心配がなく、安全性の高い哺乳瓶の安全構造を提供する。【解決手段】哺乳瓶の安全構造は、主にビン体１０、ビン口カバー２０から構成される。そのうち、ビン体は、無毒、透明のシリコンゴムで一体成型され、上部には頸部１１が成形される。その頸部上にはビン口１２が成形され、ビン口外縁環には凸縁１３が成形される。ビン口カバーは、硬質のプラスチック材で一体成型され、外環壁にはネジ紋２１が成形される。そこに乳首ユニットを止める。上下端は貫通した開放面であるため、ビン体頸部外側に密接に嵌合され、ビン体頸部外側に密接に嵌合されたとき、上部口縁はビン体のビン口外縁に設置された凸縁に支持され、乳首ユニットを止めた時、ビン体上縁は乳首ユニットと共に挟持され、外れたり、ミルクがもれたりしない。【選択図】図１
0003105588.tif 000002
【実用新案登録請求の範囲】
【請求項１】
主にビン体、ビン口カバーから構成された哺乳瓶の安全構造において、
無毒、透明のシリコンゴムで一体成型され、上部には頸部が成形され、その頸部上にはビン口が成形され、そのビン口外縁環には凸縁が成形されたビン体と、
硬質のプラスチック材で一体成型され、外環壁にはネジ紋が成形され、そこに乳首ユニットが止められるもので、上下端は貫通した開放面であるため、ビン体頸部外側に密接に嵌合され、ビン体頸部外側に密接に嵌合されたとき、上部口縁はビン体のビン口外縁に設置された凸縁に支持され、乳首ユニットを止めた時、ビン体上縁は乳首ユニットと共に挟持されるため、外れたり、ミルクがもれたりしないビン口カバーから構成されることを特徴とする哺乳瓶の安全構造。
【請求項２】
前記ビン口は、外縁の凸縁底面に凹槽が成形され、乳首ユニットをビン口カバーで止めた時、ビン口カバーの上口縁がちょうど凸縁底面に設置された凹槽内に嵌入されることを特徴とする請求項１記載の哺乳瓶の安全構造。
【請求項３】
前記ビン口カバーは、下向きに適する長さのカバー体がビン体外面に被さるため、ビン体を握る使用者が握りやすいことを特徴とする請求項１記載の哺乳瓶の安全構造。
【請求項４】
前記ビン口カバーは、下縁に接続部が設置され、別のカバー体に接続され、ビン口カバーがビン体外面の長さに合わせて被せ、異なる容量規格のビン体に使用することを特徴とする請求項１記載の哺乳瓶の安全構造。
【考案の詳細な説明】
【技術分野】
【０００１】
本考案は、哺乳瓶の安全構造に関するもので、高温で熱湯消毒しても割れる心配がなく、安全性の高いものである。
【背景技術】
【０００２】
公知の哺乳瓶のビン体はガラス瓶とプラスチックビンの二種の異なる材質に分けられる。そのうち、ガラス製の哺乳瓶は高温に強いので、高温消毒ができるので、衛生的に使用できる。しかし、ガラス製ビンは割れやすく、割れた時にガラスの破片が四方に飛び散るため、片付けにくく、危険である。
また、プラスチック製の哺乳瓶は、割れにくいが、材質の性質が高温に弱いため、高温消毒はできず、雑菌を残してしまう危険性があり、使用上不安が残る。
【考案の開示】
【考案が解決しようとする課題】
【０００３】
解決しようとする問題点は、ガラス製は高温消毒に耐えうるものの割れやすく、プラスチック製は割れにくいものの高温消毒に耐えられず、安全性に不安が残る点である。
【課題を解決するための手段】
【０００４】
本考案は、主にビン体、ビン口カバーから構成される。そのうち、ビン体は、無毒、透明のシリコンゴムで一体成型され、上部には頸部が成形される。その頸部上にはビン口が成形され、ビン口外縁環には凸縁が成形される。ビン口カバーは、硬質のプラスチック材で一体成型され、外環壁にはネジ紋が成形される。そこに乳首ユニットを止める。上下端は貫通した開放面であるため、ビン体頸部外側に密接に嵌合され、ビン体頸部外側に密接に嵌合されたとき、上部口縁はビン体のビン口外縁に設置された凸縁に支持され、乳首ユニットを止めた時、ビン体上縁は乳首ユニットと共に挟持され、外れたり、ミルクがもれたりしないことを最も主要な特徴とする。
【考案の効果】
【０００５】
本考案の哺乳瓶の安全構造は、高温で熱湯消毒しても割れる心配がなく、安全性が高いという利点がある。
【実施例１】
【０００６】
図１に示すとおり、本考案は、主にビン体１０、ビン口カバー２０から構成される。そのうち、
【０００７】
図１及び図２に示すとおり、ビン体１０は無毒、透明のシリコンゴムで一体成型される。ビン体１０上端には頸部１１が成形され、その頸部１１上端にはビン口１２が成形される。ビン口１２外縁環には凸縁１３が設置され、その凸縁１３底面環には凹槽１４が成形される。
【０００８】
ビン口カバー２０は、固めのプラスチック材によって一体成型される。そのビン口カバー２０外環壁にはネジ紋２１が成形され、そこに乳首ユニット３０を対応させて締める。ビン口カバー２０の上、下端はどちらも口が開放され、ビン体１０の頸部１１外側でちょうど合わさり、ビン口カバー２０をビン体１０頸部１１外側に被せた時、ビン口カバー２０の上口縁はビン体１０のビン口１２外縁に設置された凸縁１３にちょうど合い、且つ乳首ユニット３０をビン口カバー２０に合わせて締めた時、ビン口カバー２０上の口縁が凸縁１３底面に設置された凹槽１４内に嵌入され、ビン体１０の上縁はビン口カバー２０と乳首ユニット３０の間にしっかりと挟まれ、外れたり、ミルクが漏れたりしない。またビン口カバー２０は、適する長さのカバー体２２が下向きでビン体１０外面を覆っているため、ビン体１０使用が便利である。
【実施例２】
【０００９】
ビン口カバー２０の下縁に接続部２３を設置し(例としてネジ紋、図３参照)、別のカバー体２２Ａを接続し、ビン口カバー２０をビン体１０外面の長さで覆い、異なる容量規格のビン体１０に使用する。
【図面の簡単な説明】
【００１０】
【図１】本考案の立体構造図である。
【図２】本考案の断面図である。
【図３】本考案の別の実施例断面図である。
【符号の説明】
【００１１】
１０        ビン体
１１        頸部
１２        ビン口
１３        凸縁
１４        凹槽
２０        ビン口カバー
２１        ネジ紋部
２２        カバー体
２２Ａ      カバー体
２３        接続部
３０        乳首ユニット
【図１】
0003105588.tif 000003
【図２】
0003105588.tif 000004
【図３】
0003105588.tif 000005
(57)【要約】      （修正有）【課題】傾斜を利用して、直接脊柱に作動させ、危険なく、手動で、家庭内で実行することのできる健康機を提供する。【解決手段】パンタグラフ状をしたジャッキ部材６が枠体２にある、使用者が横たわる平板４を傾ける。ジャッキ部材は、使用者が自分で回転取手８を回して行う。平板は１つの支持枠体を支点として傾き、使用者は、上体及び頭部を低くして傾く。このようにして、上体を低くすることにより、腰、頸の疲労回復を行う。実施すると、実際上、非常に効果の高いものである。【選択図】図３
0003105096.tif 000002
【実用新案登録請求の範囲】
【請求項１】
本考案は、左枠体と右枠体が、３角状に上に頂点を持ってあり、その頂点が平板の支点となり、右枠体の途中に渡された棒にパンタグラフ状のジャッキが設けられ、即ち、そのジャッキは下は棒、上は平板につけられ、ジャッキが拡がることによりその平板の傾斜を促し、使用者の頭の部分が低くなることが可能な腰及び頸の疲労回復斜面健康機。
【考案の詳細な説明】
【技術分野】
【０００１】
本考案は、腰及び頸の疲労回復斜面健康機に関する。
【背景技術】
【０００２】
従来より水平面で指圧的マッサージを目的として、ローラを前後又は上下に移動させてマッサージを目的とするものや、動力を用いて、水平面で脊柱を延ばして目的を達する装置が行われているが、本考案はそれらより実効上優れた考案である。水平面でのローラはマッサージ効果はあるが、表面的で筋肉に及ぶ程度である。
【特許文献１】特記すべき先行文献なし。
【非特許文献１】この発想の良い健康機は殆んど無い。
【考案の開示】
【考案が解決しようとする課題】
【０００３】
本考案は、傾斜を利用して、直接脊柱に作動させ、危険なく、手動で、家庭内で実行することのできる健康機を提供する。
【課題を解決するための手段】
【０００４】
本考案は、左枠体と右枠体が、３角状に上に頂点を持ってあり、その頂点が平板の支点となり、右枠体の途中に渡された棒にパンタグラフ状のジャッキが設けられ、即ち、そのジャッキは下は棒、上は平板につけられ、ジャッキが拡がることによりその平板の傾斜を促し、使用者の頭の部分が低くなることが可能な腰及び頸の疲労回復斜面健康機。
【考案の効果】
【０００５】
人間も元来は、４本の手足にて移動していたものであるが、２本の足で起立歩行するようになって、脊柱、特に腰に負担が掛かりすぎる傾向にあり、特に現代生活では、動作やリズムが烈しく、脊柱に疲労が溜まりやすい。そのために夜間横になって睡眠を取るのであるが、それでも疲労が取り切れず、腰や頸に疲れが残る。
【０００６】
そのような場合、本考案は、斜面を利用し、頭及び上体を低くして脊柱に掛る重力の負担を軽くし、筋肉にストレッチをかけ、又、体液の循環を良くすることにより疲労を回復させる。
【考案を実施するための最良の形態】
【０００７】
３角状の枠体があり、１は左枠体であり２は右枠体である。この両枠体は、下方で紐３により連結されている。この両枠体の頂点が平板４の支点となる。
【０００８】
右枠体２の途中に棒５が渡されジャッキ６がそこに設けられる。パンタグラフ状のジャッキ６は上で平板４の傾斜を助ける。
【０００９】
平板につけられたバンドが使用者を支える。この様にして、使用者Ａが回転取手を回すと、平板が傾斜する。
【００１０】
使用後はジャッキははずれて内側に倒れ枠体の部分も平に収納でき、厚さ１５ｃｍ〜２０ｃｍに折りたためる。
【００１１】
水平な平板の上に仰向けに寝て膝を立し、使用者Ａのづり落ちないための腰のバンドを柱９に固定し、回転取手８を回すと、ジャッキの力により平板が傾斜され頭部及び上体を下方に下げる。これにより、頭及び上体を自己体重により脊柱を延ばす。
【００１２】
使用者は、平板の上方につけられた小板１０に枕１１をおいて使用する。
【産業上の利用可能性】
【００１３】
これは家庭内で一機あれば、手軽に使用でき極めて高い利用可能性がある。
【図面の簡単な説明】
【００１４】
【図１】使用状態を示す斜視図である。
【図２】全体の斜視図である。
【図３】全体の斜視図である。
【符号の説明】
【００１５】
１  左枠体
２  右枠体
３  紐
４  平板
５  棒
６  ジャッキ
７  バンド
８  回転取手
９  柱
１０  小板
１１  枕
Ａ  使用者
【図１】
0003105096.tif 000003
【図２】
0003105096.tif 000004
【図３】
0003105096.tif 000005